(57)【要約】【課題】ネットワークを介して提供されるサービスを、直感的な操作で利用することができるようにする。【解決手段】利用するサービスＳＳＯ１１の、専用アイコンＳＡ１がアイコンフォルダＦに表示されるので、ユーザは、その専用アイコンＳＡ１を、マウス等で選択することにより、サービスＳＳＯ１１のコンテンツを表示させることができる。専用アイコンＳＡ１は、サービスＳＳＯ１１の内容を表す画像であるので、ユーザは、直感的な操作で、サービスＳＡ１を選択して利用することができる。【選択図】　　　図１８
2004021599.tif 000002
【特許請求の範囲】
【請求項１】
端末がサービスの提供を受ける際に必要な認証を、前記サービスを提供する情報提供装置に代わって行う認証管理装置、前記情報提供装置、前記端末、および前記サービスを表す画像を管理する画像管理装置からなるサービス提供システムにおいて、
前記認証管理装置は、
前記端末のユーザのユーザ識別情報に関連づけて前記サービスのサービス識別情報を記憶する第１の記憶手段と、
前記情報提供装置に代わって前記端末を認証することができるか否かを判定する判定手段と、
前記判定手段により前記情報提供装置に代わって前記端末を認証することができると判定されたとき、前記ユーザ識別情報に関連付けて記憶されている前記サービス識別情報を、前記第１の記憶手段から検出する第１の検出手段と、前記第１の検出手段により検出された前記サービス識別情報を、前記画像管理装置に送信する第１の送信手段と、
前記端末から、前記サービスの提供が要求されてきたとき、前記端末を認証する認証手段と、
前記認証手段による認証結果に応じて、前記サービスが前記端末に提供されるように、所定の処理を実行する実行手段と
を備え、
前記画像管理装置は、
前記サービスのサービス識別情報、および前記サービス識別情報で識別される前記サービスを表す画像情報を記憶する第２の記憶手段と、
前記認証管理装置の前記第１の送信手段により前記サービス識別情報が送信されていたとき、前記サービス識別情報により識別される前記サービスを表す
前記画像情報を、前記第２の記憶手段から検出する第２の検出手段と、
前記第２の検出手段により検出された前記画像情報を、前記端末に送信する
第２の送信手段と
を備え、
前記端末は、
前記画像管理装置の前記第２の送信手段により送信されてきた前記画像情報を記憶する第３の記憶手段と、
前記第３の記憶手段に記憶されている前記画像情報に対応する画像を表示させる表示制御手段と、
前記表示制御手段により表示されている前記画像を操作する操作手段と、
前記操作手段により操作された前記画像に対応する前記サービスの提供を要求する要求手段と、
前記認証管理装置の前記実行手段による前記処理により提供された前記サービスを受信する受信手段と
を備えることを特徴とするサービス提供システム。
【請求項２】
前記画像管理装置の前記第２の記憶手段は、前記サービス識別情報、前記サービス識別情報で識別される前記サービスを表す前記画像情報、および前記サービス識別情報で識別される前記サービスの管理先を表す付随情報を記憶し、
前記第２の検出手段は、前記認証管理装置の前記第１の送信手段により前記サービス識別情報が送信されてきたとき、前記サービス識別情報により識別される前記サービスを表す前記画像情報および前記サービスの管理先を表す前記付随情報を、前記第２の記憶手段から検出し、
前記第２の送信手段は、前記第２の検出手段により検出された前記画像情報および前記付随情報を、前記端末に送信し、
前記端末の前記第３の記憶手段は、前記画像管理装置の前記第２の送信手段により送信されてきた前記画像情報および前記付随情報を関連付けて記憶し、
前記要求手段は、前記操作手段により操作された前記画像に対応する前記サービスを表す前記画像情報と関連付けられて記憶されている前記付随情報を、前記第３の記憶手段から検出するとともに、検出した前記付随情報を前記認証管理装置に送信して、前記サービスの提供を要求し、
前記認証管理装置の前記実行手段は、前記認証手段による認証結果に応じて、前記端末の前記要求手段から送信されてきた前記付随情報により示される管理先で管理されている前記サービスを、前記情報提供装置から取得し、前記端末に提供する前記処理を実行する
ことを特徴とする請求項１に記載のサービス提供システム。
【請求項３】
前記付随情報は、前記情報提供装置が管理する前記サービスのＵＲＬである
ことを特徴とする請求項２に記載のサービス提供システム。
【請求項４】
前記端末の前記第３の記憶手段は、前記画像管理装置の前記第２の送信手段により送信されてきた前記画像情報、および前記画像情報が対応する前記サービスの管理先を表す付随情報を関連付けて記憶し、
前記要求手段は、前記操作手段により操作された前記画像に対応する前記サービスを表す前記画像情報と関連付けられて記憶されている前記付随情報を、前記第３の記憶手段から検出するとともに、検出した前記付随情報を前記認証管理装置に送信して、前記サービスの提供を要求し、
前記認証管理装置の前記実行手段は、前記認証手段による認証結果に応じて、前記端末の前記要求手段から送信されてきた前記付随情報により示される管理先で管理されている前記サービスを、前記情報提供装置から取得し、前記端末に提供する前記処理を実行する
ことを特徴とする請求項１に記載のサービス提供システム。
【請求項５】
前記付随情報は、前記情報提供装置が管理する前記サービスのＵＲＬである
ことを特徴とする請求項４に記載のサービス提供システム。
【請求項６】
前記認証管理装置の前記判定手段は、前記情報提供装置に代わって前記端末を認証することができるか否かを判定するとともに、前記情報提供装置に代わって前記端末を認証することができると判定したとき、その旨を表す認証認定情報を発行し、
前記第１の送信手段は、前記第１の検出手段により検出された前記サービス識別情報および前記判定手段により発行された前記認証認定情報を、前記画像管理装置に送信し、
前記認証手段は、前記端末から送信されてきた前記認証認定情報に基づいて、前記端末を認証し、
前記画像管理装置の前記第２の送信手段は、前記第２の検出手段により検出された前記画像情報、および前記認証管理装置の前記第１の送信手段により送信されてきた前記認証認定情報を、前記端末に送信し、
前記端末の前記第３の記憶手段は、前記画像管理装置の前記第２の送信手段により送信されてきた前記画像情報と前記認証認定情報を記憶し、
前記要求手段は、前記操作手段により操作された前記画像に対応する前記サービスの提供を、前記認証認定情報を前記認証管理装置に送信して要求する
ことを特徴とする請求項１に記載のサービス提供システム。
【請求項７】
端末がサービスの提供を受ける際に必要な認証を、前記サービスを提供する情報提供装置に代わって行う情報処理装置において、
前記端末のユーザのユーザ識別情報に関連づけて前記サービスのサービス識別情報を記憶する記憶手段と、
前記情報提供装置に代わって前記端末を認証することができるか否かを判定する判定手段と、
前記判定手段により前記情報提供装置に代わって前記端末を認証することができると判定されたとき、前記ユーザ識別情報に関連付けて記憶されている前記サービス識別情報を、前記記憶手段から検出する検出手段と、
前記検出手段により検出された前記サービス識別情報を、画像管理装置に記憶されている前記サービス識別情報により識別される前記サービスを表す画像情報が前記端末に提供されるように送信する送信手段と、
前記端末から、前記サービスの提供が要求されてきたとき、前記端末を認証する認証手段と、
前記認証手段による認証結果に応じて、前記サービスが前記端末に提供されるように、所定の処理を実行する実行手段と
を備えることを特徴とする情報処理装置。
【請求項８】
前記判定手段は、前記情報提供装置に代わって前記端末を認証することができるか否かを判定するとともに、前記情報提供装置に代わって前記端末を認証することができると判定したとき、その旨を表す認証認定情報を発行し、
前記送信手段は、前記検出手段により検出された前記サービス識別情報を、前記画像管理装置に記憶されている前記サービス識別情報により識別される前記サービスを表す前記画像情報が前記端末に供給されるように送信するとともに、前記判定手段により発行された前記認証認定情報を、前記端末が前記サービスの提供を要求するとき送信されてくるように送信し、
前記認証手段は、前記サービスの提供を要求するとき前記端末から送信されてきた前記認証認定情報に基づいて、前記端末を認証する
ことを特徴とする請求項７に記載の情報処理装置。
【請求項９】
端末がサービスの提供を受ける際に必要な認証を、前記サービスを提供する情報提供装置に代わって行う情報処理装置の情報処理方法において、
前記端末のユーザのユーザ識別情報に関連づけて前記サービスのサービス識別情報を記憶する記憶ステップと、
前記情報提供装置に代わって前記端末を認証することができるか否かを判定する判定ステップと、
前記判定ステップの処理で前記情報提供装置に代わって前記端末を認証することができると判定されたとき、前記ユーザ識別情報に関連付けて記憶されている前記サービス識別情報を検出する検出ステップと、
前記検出ステップの処理で検出された前記サービス識別情報を、画像管理装置に記憶されている前記サービス識別情報により識別される前記サービスを表す画像情報が前記端末に提供されるように送信する送信ステップと、
前記端末から、前記サービスの提供が要求されてきたとき、前記端末を認証する認証ステップと、
前記認証ステップでの認証結果に応じて、前記サービスが前記端末に提供されるように、所定の処理を実行する実行ステップと
を含むことを特徴とする情報処理方法。
【請求項１０】
端末がサービスの提供を受ける際に必要な認証を、前記サービスを提供する情報提供装置に代わって行う情報処理装置のプログラムであって、
前記端末のユーザのユーザ識別情報に関連づけた前記サービスのサービス識別情報の記憶を制御する記憶制御ステップと、
前記情報提供装置に代わって前記端末を認証することができるか否かの判定を制御する判定制御ステップと、
前記判定制御ステップの処理で前記情報提供装置に代わって前記端末を認証することができると判定されたとき、前記ユーザ識別情報に関連付けて記憶されている前記サービス識別情報の検出を制御する検出制御ステップと、
前記検出制御ステップの処理で検出された前記サービス識別情報の、画像管理装置に記憶されている前記サービス識別情報により識別される前記サービスを表す画像情報が前記端末に提供されるようにするための送信を制御する送信制御ステップと、
前記端末から、前記サービスの提供が要求されてきたとき、前記端末の認証を制御する認証制御ステップと、
前記認証制御ステップでの認証結果に応じた、前記サービスが前記端末に提供されるようにするための、所定の処理の実行を制御する実行制御ステップと
を含むことを特徴とするコンピュータが読み取り可能なプログラムが記録されている記録媒体。
【請求項１１】
端末がサービスの提供を受ける際に必要な認証を、前記サービスを提供する情報提供装置に代わって行う情報処理装置のプログラムであって、
前記端末のユーザのユーザ識別情報に関連づけた前記サービスのサービス識別情報の記憶を制御する記憶制御ステップと、
前記情報提供装置に代わって前記端末を認証することができるか否かの判定を制御する判定制御ステップと、
前記判定制御ステップの処理で前記情報提供装置に代わって前記端末を認証することができると判定されたとき、前記ユーザ識別情報に関連付けて記憶されている前記サービス識別情報の検出を制御する検出制御ステップと、
前記検出制御ステップの処理で検出された前記サービス識別情報の、画像管理装置に記憶されている前記サービス識別情報により識別される前記サービスを表す画像情報が前記端末に提供されるようにするための送信を制御する送信制御ステップと、
前記端末から、前記サービスの提供が要求されてきたとき、前記端末の認証を制御する認証制御ステップと、
前記認証制御ステップでの認証結果に応じた、前記サービスが前記端末に提供されるようにするための、所定の処理の実行を制御する実行制御ステップと
を含む処理をコンピュータに実行させることを特徴とするプログラム。
【請求項１２】
認証管理装置により端末が認証されることにより、前記端末での利用が可能となるサービスを表す画像情報を管理する情報処理装置において、
前記サービスのサービス識別情報、および前記サービス識別情報で識別される前記サービスを表す画像情報を記憶する記憶手段と、
前記認証管理装置から前記サービス識別情報が送信されていたとき、前記サービス識別情報により識別される前記サービスを表す前記画像情報を、前記記憶手段から検出する検出手段と、
前記検出手段により検出された前記画像情報を、前記端末に送信する送信手段と
を備えることを特徴とする情報処理装置。
【請求項１３】
前記記憶手段は、前記サービス識別情報、前記サービス識別情報で識別される前記サービスを表す前記画像情報、および前記サービス識別情報で識別される前記サービスの管理先を表す付随情報を記憶し、
前記検出手段は、前記認証管理装置から前記サービス識別情報が送信されてきたとき、前記サービス識別情報により識別される前記サービスを表す前記画像情報および前記サービスの管理先を表す前記付随情報を、前記記憶手段から検出し、
前記送信手段は、前記検出手段により検出された前記画像情報および前記付随情報を、前記端末が前記画像情報に対応する画像が操作されたとき、前記付随情報を前記認証管理装置に送信して、操作された前記画像に対応する前記サービスの提供を要求することができるように、前記端末に送信する
ことを特徴とする請求項１２に記載の情報処理装置。
【請求項１４】
認証管理装置により端末が認証されることにより、前記端末での利用が可能となるサービスを表す画像情報を管理する情報処理装置の情報処理方法において、
前記サービスのサービス識別情報、および前記サービス識別情報で識別される前記サービスを表す画像情報を記憶する記憶ステップと、
前記認証管理装置から前記サービス識別情報が送信されていたとき、前記サービス識別情報により識別される前記サービスを表す前記画像情報を検出する検出ステップと、
前記検出ステップの処理で検出された前記画像情報を、前記端末に送信する送信ステップと
を含むことを特徴とする情報処理方法。
【請求項１５】
認証管理装置により端末が認証されることにより、前記端末での利用が可能となるサービスを表す画像情報を管理する情報処理装置のプログラムであって、
前記サービスのサービス識別情報、および前記サービス識別情報で識別される前記サービスを表す画像情報の記憶を制御する記憶制御ステップと、
前記認証管理装置から前記サービス識別情報が送信されていたとき、前記サービス識別情報により識別される前記サービスを表す前記画像情報の検出を制御する検出制御ステップと、
前記検出制御ステップの処理で検出された前記画像情報の、前記端末に対する送信を制御する送信制御ステップと
を含むことを特徴とするコンピュータが読み取り可能なプログラムが記録されている記録媒体。
【請求項１６】
認証管理装置により端末が認証されることにより、前記端末での利用が可能となるサービスを表す画像情報を管理する情報処理装置のプログラムであって、
前記サービスのサービス識別情報、および前記サービス識別情報で識別される前記サービスを表す画像情報の記憶を制御する記憶制御ステップと、
前記認証管理装置から前記サービス識別情報が送信されていたとき、前記サービス識別情報により識別される前記サービスを表す前記画像情報の検出を制御する検出制御ステップと、
前記検出制御ステップの処理で検出された前記画像情報の、前記端末に対する送信を制御する送信制御ステップと
を含む処理をコンピュータに実行させることを特徴とするプログラム。
【請求項１７】
サービスを提供する情報提供装置に代わって行われる認証管理装置による認証の結果に応じて提供される前記サービスを受信する情報処理装置において、
前記サービスを表す画像情報を管理する画像管理装置から送信されてきた前記画像情報を記憶する記憶手段と、
前記記憶手段に記憶されている前記画像情報に対応する画像を表示させる表示制御手段と、
前記表示制御手段により表示されている前記画像を操作する操作手段と、
前記操作手段により操作された前記画像に対応する前記サービスの提供を要求する要求手段と、
前記要求手段による要求に応じて、前記情報提供装置から提供された前記サービスを受信する受信手段と
を備えることを特徴とする情報処理装置。
【請求項１８】
サービスを提供する情報提供装置に代わって行われる認証管理装置による認証の結果に応じて提供される前記サービスを受信する情報処理装置の情報処理方法において、
前記サービスを表す画像情報を管理する画像管理装置から送信されてきた前記画像情報を記憶する記憶ステップと、
前記記憶ステップの処理で記憶された前記画像情報に対応する画像を表示させる表示制御ステップと、
前記表示制御ステップの処理で表示された前記画像を操作する操作ステップと、
前記操作ステップの処理で操作された前記画像に対応する前記サービスの提供を要求する要求ステップと、
前記要求ステップでの要求に応じて、前記情報提供装置から提供された前記サービスを受信する受信ステップと
を含むことを特徴とする情報処理方法。
【請求項１９】
サービスを提供する情報提供装置に代わって行われる認証管理装置による認証の結果に応じて提供される前記サービスを受信する情報処理装置のプログラムであって、
前記サービスを表す画像情報を管理する画像管理装置から送信されてきた前記画像情報の記憶を制御する記憶制御ステップと、
前記記憶制御ステップの処理で記憶された前記画像情報に対応する画像の表示を制御する表示制御制御ステップと、
前記表示制御制御ステップの処理で表示された前記画像の操作を制御する操作制御ステップと、
前記操作制御ステップの処理で操作された前記画像に対応する前記サービスの提供の要求を制御する要求制御ステップと、
前記要求制御ステップでの要求に応じて、前記情報提供装置から提供された前記サービスの受信を制御する受信制御ステップと
を含むことを特徴とするコンピュータが読み取り可能なプログラムが記録されている記録媒体。
【請求項２０】
サービスを提供する情報提供装置に代わって行われる認証管理装置による認証の結果に応じて提供される前記サービスを受信する情報処理装置のプログラムであって、
前記サービスを表す画像情報を管理する画像管理装置から送信されてきた前記画像情報の記憶を制御する記憶制御ステップと、
前記記憶制御ステップの処理で記憶された前記画像情報に対応する画像の表示を制御する表示制御制御ステップと、
前記表示制御制御ステップの処理で表示された前記画像の操作を制御する操作制御ステップと、
前記操作制御ステップの処理で操作された前記画像に対応する前記サービスの提供の要求を制御する要求制御ステップと、
前記要求制御ステップでの要求に応じて、前記情報提供装置から提供された前記サービスの受信を制御する受信制御ステップと
を含む処理をコンピュータに実行させることを特徴とするプログラム。
【発明の詳細な説明】
【０００１】
【発明の属する技術分野】
本発明は、サービス提供システム、情報処理装置および方法、記録媒体、並びにプログラムに関し、特に、直感的な操作で、ネットワークを介して提供されるサービスを利用することができるようにしたサービス提供システム、情報処理装置および方法、記録媒体、並びにプログラムに関する。
【０００２】
【従来の技術】
サービスサーバから、ネットワークを介してサービスの提供を受ける場合、ユーザは、サービスサーバから、例えば、ユーザＩＤやパスワード等によるユーザ認証を受ける必要がある。
【０００３】
しかしながら、そのユーザ認証は、提供されるサービスごとに独立して行われるため、ユーザは、例えば、提供を受けるサービスを変更する度に、ユーザＩＤとパスワード等をクライアント装置に入力しなければならず、手間がかかる問題があった。
【０００４】
そこで、例えば、図１に示すように、クライアントコンピュータ（以下、クライアントと略称する）１と、２つのサービスサーバ３−１，３−２（以下、個々に区別する必要がない場合、単に、サービスサーバ３と称する。他の場合も同様である）の間に、サービスサーバ３におけるクライアント１の認証を代行する認証代行サーバ２を配置する方法（リバースプロクシ（Ｒｅｖｅｒｓｅ　Ｐｒｏｘｙ）タイプ）が提案されている。なお、以下において、認証代行サーバ２により認証されることを条件に、クライアント１に提供されるサービスを、適宜、クライアント１のＳＳＯ（Ｓｉｎｇｌｅ　Ｓｉｇｎ　Ｏｎ）サービスと称する。
【０００５】
認証代行サーバ２は、クライアント１を認証するためのユーザＩＤとパスワードの他、クライアント１がサービスサーバ３−１およびサービスサーバ３−２にアクセスするのに必要なそれぞれのユーザＩＤとパスワードを管理している。
【０００６】
クライアント１が、例えば、ユーザにより入力された、認証代行サーバ２が提供する認証代行サービスに登録したとき付与されたユーザＩＤとパスワード（クライアント１を認証するためのもの）を利用して、認証代行サービスにログインすると、認証代行サーバ２は、そのユーザＩＤとパスワードに基づいて、クライアント１を認証する（サービスサーバ３−１，３−２に代わりクライアント１を認証する）。
【０００７】
そして認証代行サーバ２は、クライアント１の認証結果に応じて、サービスサーバ３−１またはサービスサーバ３−２に、保持しているクライアント１がサービスサーバ３−１，３−２に登録された際に付与されたサービスサーバ３−１，３−２にアクセスするのに必要なユーザＩＤとパスワードを利用してアクセスし、クライアント１が要求するサービスを、サービスサーバ３−１またはサービスサーバ３−２から取得して、クライアント１に供給する。
【０００８】
従ってユーザは、認証代行サービスにログインする際に所定のユーザＩＤとパスワードを１度入力するだけで、サービスサーバ３−１およびサービスサーバ３−２のいずれからもサービスの提供を受けることができる。
【０００９】
ところで、このようにしてサービスの提供を受ける場合のクライアント１に対する操作を、具体的に説明すると、ユーザは、はじめに、図２に示すような入力画面にユーザＩＤやパスワードを入力して認証代行サービスにログインする。これにより、クライアント１には、図３に示すような、クライアント１のＳＳＯサービスの一覧が表示される。なお、図３には、図１のサービスサーバ３−１が提供するサービスＳＳＯ１とサービスサーバ３−２が提供するサービスＳＳＯ２の名前が表示されている。
【００１０】
次に、ユーザは、このように表示されているサービス名（サービスＳＳＯ１またはサービスＳＳＯ２）を選択する。これにより、クライアント１には、図４または図５に示すように選択されたサービスＳＳＯ１またはサービスＳＳＯ２のコンテンツが表示される。
【００１１】
【発明が解決しようとする課題】
しかしながら、ここでの操作は、文字で表されたサービス名を選択するといったもので、選択するＳＳＯサービスの内容を直感的に把握できるものではない。このように従来の認証代行サーバ２がサービスサーバ３に代わりクライアント１を認証するサービス提供システムにおいては、ユーザが、直感的な操作でＳＳＯサービスを選択し、そしてそれを利用することができない課題があった。
【００１２】
本発明はこのような状況に鑑みてなされたものであり、ユーザが直感的に、例えば、ＳＳＯサービスを選択し、それを利用することができるようにするものである。
【００１３】
【課題を解決するための手段】
本発明のサービス提供システムは、認証管理装置が、端末のユーザのユーザ識別情報に関連づけてサービスのサービス識別情報を記憶する第１の記憶手段と、情報提供装置に代わって端末を認証することができるか否かを判定する判定手段と、判定手段により情報提供装置に代わって端末を認証することができると判定されたとき、ユーザ識別情報に関連付けて記憶されているサービス識別情報を、第１の記憶手段から検出する第１の検出手段と、第１の検出手段により検出されたサービス識別情報を、画像管理装置に送信する第１の送信手段と、端末から、サービスの提供が要求されてきたとき、端末を認証する認証手段と、認証手段による認証結果に応じて、サービスが端末に提供されるように、所定の処理を実行する実行手段とを備え、画像管理装置が、サービスのサービス識別情報、およびサービス識別情報で識別されるサービスを表す画像情報を記憶する第２の記憶手段と、認証管理装置の第１の送信手段によりサービス識別情報が送信されていたとき、サービス識別情報により識別されるサービスを表す画像情報を、第２の記憶手段から検出する第２の検出手段と、第２の検出手段により検出された画像情報を、端末に送信する第２の送信手段とを備え、端末が、画像管理装置の第２の送信手段により送信されてきた画像情報を記憶する第３の記憶手段と、第３の記憶手段に記憶されている画像情報に対応する画像を表示させる表示制御手段と、表示制御手段により表示されている画像を操作する操作手段と、操作手段により操作された画像に対応するサービスの提供を要求する要求手段と、認証管理装置の実行手段による処理により提供されたサービスを受信する受信手段とを備えることを特徴とする。
【００１４】
画像管理装置の第２の記憶手段は、サービス識別情報、サービス識別情報で識別されるサービスを表す画像情報、およびサービス識別情報で識別されるサービスの管理先を表す付随情報を記憶し、第２の検出手段は、認証管理装置の第１の送信手段によりサービス識別情報が送信されてきたとき、サービス識別情報により識別されるサービスを表す画像情報およびサービスの管理先を表す付随情報を、第２の記憶手段から検出し、第２の送信手段は、第２の検出手段により検出された画像情報および付随情報を、端末に送信し、端末の第３の記憶手段は、画像管理装置の第２の送信手段により送信されてきた画像情報および付随情報を関連付けて記憶し、要求手段は、操作手段により操作された画像に対応するサービスを表す画像情報と関連付けられて記憶されている付随情報を、第３の記憶手段から検出するとともに、検出した付随情報を認証管理装置に送信して、サービスの提供を要求し、認証管理装置の実行手段は、認証手段による認証結果に応じて、端末の要求手段から送信されてきた付随情報により示される管理先で管理されているサービスを、情報提供装置から取得し、端末に提供する処理を実行することができる。
【００１５】
付随情報を、情報提供装置が管理するサービスのＵＲＬとすることができる。
【００１６】
端末の第３の記憶手段は、画像管理装置の第２の送信手段により送信されてきた画像情報、および画像情報が対応するサービスの管理先を表す付随情報を関連付けて記憶し、要求手段は、操作手段により操作された画像に対応するサービスを表す画像情報と関連付けられて記憶されている付随情報を、第３の記憶手段から検出するとともに、検出した付随情報を認証管理装置に送信して、サービスの提供を要求し、認証管理装置の実行手段は、認証手段による認証結果に応じて、端末の要求手段から送信されてきた付随情報により示される管理先で管理されているサービスを、情報提供装置から取得し、端末に提供する処理を実行することができる。
【００１７】
認証管理装置の判定手段は、情報提供装置に代わって端末を認証することができるか否かを判定するとともに、情報提供装置に代わって端末を認証することができると判定したとき、その旨を表す認証認定情報を発行し、第１の送信手段は、第１の検出手段により検出されたサービス識別情報および判定手段により発行された認証認定情報を、画像管理装置に送信し、認証手段は、端末から送信されてきた認証認定情報に基づいて、端末を認証し、画像管理装置の第２の送信手段は、第２の検出手段により検出された画像情報、および認証管理装置の第１の送信手段により送信されてきた認証認定情報を、端末に送信し、端末の第３の記憶手段は、画像管理装置の第２の送信手段により送信されてきた画像情報と認証認定情報を記憶し、要求手段は、操作手段により操作された画像に対応するサービスの提供を、認証認定情報を認証管理装置に送信して要求することができる。
【００１８】
本発明の第１の情報処理装置は、端末のユーザのユーザ識別情報に関連づけてサービスのサービス識別情報を記憶する記憶手段と、情報提供装置に代わって端末を認証することができるか否かを判定する判定手段と、判定手段により情報提供装置に代わって端末を認証することができると判定されたとき、ユーザ識別情報に関連付けて記憶されているサービス識別情報を、記憶手段から検出する検出手段と、検出手段により検出されたサービス識別情報を、画像管理装置に記憶されているサービス識別情報により識別されるサービスを表す画像情報が端末に提供されるように送信する送信手段と、端末から、サービスの提供が要求されてきたとき、端末を認証する認証手段と、認証手段による認証結果に応じて、サービスが端末に提供されるように、所定の処理を実行する実行手段とを備えることを特徴とする。
【００１９】
判定手段は、情報提供装置に代わって端末を認証することができるか否かを判定するとともに、情報提供装置に代わって端末を認証することができると判定したとき、その旨を表す認証認定情報を発行し、送信手段は、検出手段により検出されたサービス識別情報を、画像管理装置に記憶されているサービス識別情報により識別されるサービスを表す画像情報が端末に供給されるように送信するとともに、判定手段により発行された認証認定情報を、端末がサービスの提供を要求するとき送信されてくるように送信し、認証手段は、サービスの提供を要求するとき端末から送信されてきた認証認定情報に基づいて、端末を認証することを特徴とする。
【００２０】
本発明の第１の情報処理方法は、端末のユーザのユーザ識別情報に関連づけてサービスのサービス識別情報を記憶する記憶ステップと、情報提供装置に代わって端末を認証することができるか否かを判定する判定ステップと、判定ステップの処理で情報提供装置に代わって端末を認証することができると判定されたとき、ユーザ識別情報に関連付けて記憶されているサービス識別情報を検出する検出ステップと、検出ステップの処理で検出されたサービス識別情報を、画像管理装置に記憶されているサービス識別情報により識別されるサービスを表す画像情報が端末に提供されるように送信する送信ステップと、端末から、サービスの提供が要求されてきたとき、端末を認証する認証ステップと、認証ステップでの認証結果に応じて、サービスが端末に提供されるように、所定の処理を実行する実行ステップとを含むことを特徴とする。
【００２１】
本発明の第１の記録媒体のプログラムは、端末のユーザのユーザ識別情報に関連づけたサービスのサービス識別情報の記憶を制御する記憶制御ステップと、情報提供装置に代わって端末を認証することができるか否かの判定を制御する判定制御ステップと、判定制御ステップの処理で情報提供装置に代わって端末を認証することができると判定されたとき、ユーザ識別情報に関連付けて記憶されているサービス識別情報の検出を制御する検出制御ステップと、検出制御ステップの処理で検出されたサービス識別情報の、画像管理装置に記憶されているサービス識別情報により識別されるサービスを表す画像情報が端末に提供されるようにするための送信を制御する送信制御ステップと、端末から、サービスの提供が要求されてきたとき、端末の認証を制御する認証制御ステップと、認証制御ステップでの認証結果に応じた、サービスが端末に提供されるようにするための、所定の処理の実行を制御する実行制御ステップとを含むことを特徴とする。
【００２２】
本発明の第１のプログラムは、端末のユーザのユーザ識別情報に関連づけたサービスのサービス識別情報の記憶を制御する記憶制御ステップと、情報提供装置に代わって端末を認証することができるか否かの判定を制御する判定制御ステップと、判定制御ステップの処理で情報提供装置に代わって端末を認証することができると判定されたとき、ユーザ識別情報に関連付けて記憶されているサービス識別情報の検出を制御する検出制御ステップと、検出制御ステップの処理で検出されたサービス識別情報の、画像管理装置に記憶されているサービス識別情報により識別されるサービスを表す画像情報が端末に提供されるようにするための送信を制御する送信制御ステップと、端末から、サービスの提供が要求されてきたとき、端末の認証を制御する認証制御ステップと、認証制御ステップでの認証結果に応じた、サービスが端末に提供されるようにするための、所定の処理の実行を制御する実行制御ステップとを含む処理をコンピュータに実行させることを特徴とする。
【００２３】
本発明の第１の情報処理装置および方法、並びにプログラムにおいては、端末のユーザのユーザ識別情報に関連づけてサービスのサービス識別情報が記憶され、情報提供装置に代わって端末を認証することができるか否かが判定され、情報提供装置に代わって端末を認証することができると判定されたとき、ユーザ識別情報に関連付けて記憶されているサービス識別情報が検出され、検出されたサービス識別情報が、画像管理装置に記憶されているサービス識別情報により識別されるサービスを表す画像情報が端末に提供されるように送信され、端末から、サービスの提供が要求されてきたとき、端末が認証され、認証結果に応じて、サービスが端末に提供されるように、所定の処理が実行される。
【００２４】
本発明の第２の情報処理装置は、サービスのサービス識別情報、およびサービス識別情報で識別されるサービスを表す画像情報を記憶する記憶手段と、認証管理装置からサービス識別情報が送信されていたとき、サービス識別情報により識別されるサービスを表す画像情報を、記憶手段から検出する検出手段と、検出手段により検出された画像情報を、端末に送信する送信手段とを備えることを特徴とする。
【００２５】
記憶手段は、サービス識別情報、サービス識別情報で識別されるサービスを表す画像情報、およびサービス識別情報で識別されるサービスの管理先を表す付随情報を記憶し、検出手段は、認証管理装置からサービス識別情報が送信されてきたとき、サービス識別情報により識別されるサービスを表す画像情報およびサービスの管理先を表す付随情報を、記憶手段から検出し、送信手段は、検出手段により検出された画像情報および付随情報を、端末が画像情報に対応する画像が操作されたとき、付随情報を認証管理装置に送信して、操作された画像に対応するサービスの提供を要求することができるように、端末に送信することを特徴とする。
【００２６】
本発明の第２の情報処理方法は、サービスのサービス識別情報、およびサービス識別情報で識別されるサービスを表す画像情報を記憶する記憶ステップと、認証管理装置からサービス識別情報が送信されていたとき、サービス識別情報により識別されるサービスを表す画像情報を検出する検出ステップと、検出ステップの処理で検出された画像情報を、端末に送信する送信ステップとを含むことを特徴とする。
【００２７】
本発明の第２の記録媒体のプログラムは、サービスのサービス識別情報、およびサービス識別情報で識別されるサービスを表す画像情報の記憶を制御する記憶制御ステップと、認証管理装置からサービス識別情報が送信されていたとき、サービス識別情報により識別されるサービスを表す画像情報の検出を制御する検出制御ステップと、検出制御ステップの処理で検出された画像情報の、端末に対する送信を制御する送信制御ステップとを含むことを特徴とする。
【００２８】
本発明の第２のプログラムは、サービスのサービス識別情報、およびサービス識別情報で識別されるサービスを表す画像情報の記憶を制御する記憶制御ステップと、認証管理装置からサービス識別情報が送信されていたとき、サービス識別情報により識別されるサービスを表す画像情報の検出を制御する検出制御ステップと、検出制御ステップの処理で検出された画像情報の、端末に対する送信を制御する送信制御ステップとを含む処理をコンピュータに実行させることを特徴とする。
【００２９】
本発明の第２の情報処理装置および方法、並びにプログラムにおいては、サービスのサービス識別情報、およびサービス識別情報で識別されるサービスを表す画像情報が記憶され、認証管理装置からサービス識別情報が送信されていたとき、サービス識別情報により識別されるサービスを表す画像情報が検出され、検出された画像情報が、端末に送信される。
【００３０】
本発明の第３の情報処理装置は、サービスを表す画像情報を管理する画像管理装置から送信されてきた画像情報を記憶する記憶手段と、記憶手段に記憶されている画像情報に対応する画像を表示させる表示制御手段と、表示制御手段により表示されている画像を操作する操作手段と、操作手段により操作された画像に対応するサービスの提供を要求する要求手段と、要求手段による要求に応じて、情報提供装置から提供されたサービスを受信する受信手段とを備えることを特徴とする。
【００３１】
本発明の第３の情報処理方法は、サービスを表す画像情報を管理する画像管理装置から送信されてきた画像情報を記憶する記憶ステップと、記憶ステップの処理で記憶された画像情報に対応する画像を表示させる表示制御ステップと、表示制御ステップの処理で表示された画像を操作する操作ステップと、操作ステップの処理で操作された画像に対応するサービスの提供を要求する要求ステップと、要求ステップでの要求に応じて、情報提供装置から提供されたサービスを受信する受信ステップとを含むことを特徴とする。
【００３２】
本発明の第３の記録媒体のプログラムは、サービスを表す画像情報を管理する画像管理装置から送信されてきた画像情報の記憶を制御する記憶制御ステップと、記憶制御ステップの処理で記憶された画像情報に対応する画像の表示を制御する表示制御制御ステップと、表示制御制御ステップの処理で表示された画像の操作を制御する操作制御ステップと、操作制御ステップの処理で操作された画像に対応するサービスの提供の要求を制御する要求制御ステップと、要求制御ステップでの要求に応じて、情報提供装置から提供されたサービスの受信を制御する受信制御ステップとを含むことを特徴とする。
【００３３】
本発明の第３のプログラムは、サービスを表す画像情報を管理する画像管理装置から送信されてきた画像情報の記憶を制御する記憶制御ステップと、記憶制御ステップの処理で記憶された画像情報に対応する画像の表示を制御する表示制御制御ステップと、表示制御制御ステップの処理で表示された画像の操作を制御する操作制御ステップと、操作制御ステップの処理で操作された画像に対応するサービスの提供の要求を制御する要求制御ステップと、要求制御ステップでの要求に応じて、情報提供装置から提供されたサービスの受信を制御する受信制御ステップとを含む処理をコンピュータに実行させることを特徴とする。
【００３４】
本発明の第３の情報処理装置および方法、並びにプログラムにおいては、サービスを表す画像情報を管理する画像管理装置から送信されてきた画像情報が記憶され、記憶された画像情報に対応する画像が表示され、表示された画像が操作され、操作された画像に対応するサービスの提供が要求され、要求ステップでの要求に応じて、情報提供装置から提供されたサービスを受信する受信ステップとを含むことを特徴とする。
【００３５】
【発明の実施の形態】
図６は、本発明を適用したサービス提供システムの構成例を示している。パーソナルコンピュータ１１乃至アイコンサーバ１４が、インターネットを含むネットワーク１５に接続されている。
【００３６】
認証代行サーバ１２は、パーソナルコンピュータ１１がサービスサーバ１３−１およびサービスサーバ１３―２にアクセスするために必要なユーザＩＤとパスワードを管理している。
【００３７】
クライアントとしてのパーソナルコンピュータ１１が、ユーザにより入力された、認証代行サーバ１２が提供する認証代行サービスに登録したとき付与されたユーザＩＤとパスワードを利用して、認証代行サービスにログインすると、認証代行サーバ１２は、そのユーザＩＤとパスワードに基づいて、クライアント１を認証する（サービスサーバ１３−１，１３−２に代わりパーソナルコンピュータ１１を認証する）。
【００３８】
そして認証代行サーバ１２は、パーソナルコンピュータ１１の認証結果に応じて、サービスサーバ１３−１またはサービスサーバ１３−２に、保持しているパーソナルコンピュータ１１がサービスサーバ１３−１，１３−２にアクセスするのに必要なユーザＩＤとパスワードを利用してアクセスし、パーソナルコンピュータ１１が要求するサービスが、パーソナルコンピュータ１１に供給されるようにする。
【００３９】
アイコンサーバ１４は、ＳＳＯサービス（認証代行サーバ１２によりパーソナルコンピュータ１１が認証されることを条件に、パーソナルコンピュータ１１に提供されるサービス）（この例の場合、サービスサーバ３−１またはサービスサーバ３−２が提供するサービス）に、所定のアイコン（以下、専用アイコンＳＡと称する）を付与する。すなわち、詳細は後述するが、本発明では、パーソナルコンピュータ１１のＳＳＯサービスの利用は、アイコンサーバ１４により付与された専用アイコンＳＡが利用されて行われる。
【００４０】
図７は、パーソナルコンピュータ１１の構成例を表している。
【００４１】
ＣＰＵ２１は、ＲＯＭ２２に記憶されているプログラム、または記憶部２８からＲＡＭ２３にロードされたプログラムに従って各種の処理を実行する。ＲＡＭ２３にはまた、ＣＰＵ２１が各種の処理を実行する上において必要なデータなども適宜記憶される。
【００４２】
ＣＰＵ２１、ＲＯＭ２２、およびＲＡＭ２３は、バス２４を介して相互に接続されている。このバス２４にはまた、入出力インタフェース２５も接続されている。
【００４３】
入出力インタフェース２５には、キーボード、マウスなどよりなる入力部２６、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）などよりなるディスプレイ、並びにスピーカなどよりなる出力部２７、ハードディスクなどより構成される記憶部２８、モデム、ターミナルアダプタなどより構成される通信部２９が接続されている。通信部２９は、ネットワーク１５を介しての通信処理を行う。
【００４４】
入出力インタフェース２５にはまた、必要に応じてドライブ３０が接続され、磁気ディスク４１、光ディスク４２、光磁気ディスク４３、またはメモリカード４４などが適宜装着され、それらから読み出されたコンピュータプログラムが、必要に応じて記憶部２８にインストールされる。
【００４５】
認証代行サーバ１２、サービスサーバ１３、およびアイコンサーバ１４の構成は、基本的にパーソナルコンピュータ１１の構成と同様であるので、その図示と説明は省略する。
【００４６】
図８は、パーソナルコンピュータ１１が実行するプログラムの構成例を示している。オペレーティングシステム５１は、パーソナルコンピュータ１１全体の処理を制御する。通信制御プログラム５２は、ネットワーク１５を介した通信を制御する。アイコン制御プログラム５３は、出力部２７に表示される、専用アイコンＳＡに対する操作に応じた処理を実行する。なお、アイコンサーバ１４との通信は、アイコン制御プログラム５３が制御するものとする。
【００４７】
操作制御プログラム５４は、入力部２６の操作入力の受け付けを制御する。表示制御プログラム５５は、出力部２７のディスプレイ表示を制御する。
【００４８】
なお、図６の例では、パーソナルコンピュータ１１が、クライアント装置として利用されているが、図８に示したプログラムの実行が可能な装置であれば、テレビジョン受像機、ゲーム機器、ビデオカメラ、または冷蔵庫などをクライアント装置として利用することもできる。
【００４９】
パーソナルコンピュータ１１のＳＳＯサービスとなるためには、後述するようにパーソナルコンピュータ１１に登録されることが必要であるが、パーソナルコンピュータ１１にＳＳＯサービスとして登録することができるサービスは、次に説明するように認証代行サーバ１２に登録されていることが必要である。なお、以下において、ここで認証代行サーバ１２に登録されるサービスを、ＳＳＯサービスとなり得るサービスとして、ＳＳＯ対象サービスと称する。
【００５０】
図９は、サービスサーバ１３が提供するサービスを、ＳＳＯ対象サービスとして認証代行サーバ１２に登録する場合の処理手順を示し、図１０は、図９のフローチャートに従って授受等される主な情報を模擬的に表している。
【００５１】
はじめに、サービスサーバ１３は、ステップＳ３１において、所定のサービスを、ＳＳＯ対象サービスとして登録する申請を認証代行サーバ１２に対して行う。
【００５２】
認証代行サーバ１２は、ステップＳ２１において、ＳＳＯ対象サービスとしての登録を申請してきたサービスサーバ１３を審査し、その審査結果に基づいて、ＳＳＯ対象サービスとして登録されるサービスに認証ＩＤを発行し、保持する（図１０の番号１）。なお、審査の結果によっては認証ＩＤが発行されない場合もあるが、ここでは認証ＩＤが発行されたものとして説明する。
【００５３】
次に、ステップＳ２２において、認証代行サーバ１２は、発行した認証ＩＤと登録完了の旨を、サービスサーバ１３に送信する（図１０の番号２）。
【００５４】
サービスサーバ１３は、ステップＳ３２において、認証代行サーバ１２から送信されてきた、登録完了の旨と認証ＩＤを受信すると、その認証ＩＤ、ＳＳＯ対象サービスとして登録されたサービスに対応するアイコン（例えば、そのサービスの内容を表す画像等で、ユーザが直感的にそのサービスの内容を把握することができるアイコン）の画像データ、およびそのアイコンに付随するデータ（以下、付随データと称する）を、アイコンサーバ１４に送信する（図１０の番号３）。
【００５５】
なお付随データは、ＳＳＯ対象サービスとして登録されたサービスのＵＲＬ、サービスを紹介する動画像データファイル、音楽ファイル、またはテキストデータである。
【００５６】
アイコンサーバ１４は、ステップＳ１１において、サービスサーバ１３から送信されてきた認証ＩＤ、アイコンの画像データ、およびその付随データ（ＵＲＬ等）を受信すると、受信したアイコンに、例えば、サービスサーバ１３のＵＲＬ等の情報を書き込んで、専用アイコンＳＡを生成する。
【００５７】
次に、ステップＳ１２において、アイコンサーバ１４は、生成した専用アイコンＳＡのＩＤと画像データ、並びにステップＳ１１で受信した認証ＩＤと付随データを関連付けて保存する（図１０の番号４）。
【００５８】
ステップＳ１３において、アイコンサーバ１４は、ステップＳ１１で生成した専用アイコンＳＡのＩＤと画像データを、サービスサーバ１３に送信する。
【００５９】
サービスサーバ１３は、ステップＳ３３において、アイコンサーバ１４から送信されてきた専用アイコンＳＡのＩＤと画像データを受信すると、それらと、対応する付随データおよび認証ＩＤを関連付けて保存するとともに（図１０の番号６）、専用アイコンＳＡが表示される、ＳＳＯ対象サービスとして登録されたサービスのホームページを公開する。なお、ここでＳＳＯ対象サービスとして登録されたサービスのホームページを公開する意味については、後述する。
【００６０】
次に、認証代行サーバ１２が提供する認証代行サービスにログインする処理を、図１１のフローチャートを参照して説明する。なお、図１２には、図１１のフローチャートの処理で授受等される主な情報が模擬的に表されている。
【００６１】
ステップＳ４１において、ユーザのパーソナルコンピュータ１１の入力部２６に対する操作により、アイコン制御プログラム５３が起動されると、ステップＳ４２において、アイコン制御プログラム５３は、表示制御プログラム５５を制御して、図１３に示すような、後述するようにして専用アイコンＳＡが表示されるアイコンフォルダＦを、出力部２７のディスプレイに表示させる。
【００６２】
次に、ステップＳ４３において、アイコン制御プログラム５３は、アイコンサーバ１４にアクセスする。
【００６３】
アイコンサーバ１４は、ステップＳ６１において、認証情報をパーソナルコンピュータ１１に要求する。
【００６４】
パーソナルコンピュータ１１のアイコン制御プログラム５３は、ステップＳ４４において、アイコンサーバ１４からの要求に応じて、認証情報としてのユーザＩＤとパスワード（ユーザが、認証代行サーバ１２の認証代行サービスに登録したときに付与されたもの）を取得し、それを、認証代行サーバ１２のＵＲＬとともにアイコンサーバ１４に送信する（図１２の番号１）。
【００６５】
アイコン制御プログラム５３はこのとき、表示制御プログラム５５を制御して、例えば、図１４に示すような、ユーザＩＤとパスワードを入力する欄が設けられた入力画面を出力部２７のディスプレイに表示させ、その欄に入力されたユーザＩＤとパスワードを取得し、アイコンサーバ１４に送信する。
【００６６】
なお、ユーザＩＤとパスワードを、記憶部２８やメモリカード４４に記憶させておき、アイコン制御プログラム５３は、記憶部２８やメモリカード４４からそれらを取得することもできる。また、ユーザＩＤやパスワードに限らず、指紋や虹彩などの生体情報を認証情報として利用することもできる。さらに、パーソナルコンピュータ１１に固有の機器認証情報を認証情報として利用することもできる。
【００６７】
認証代行サーバ１２のＵＲＬは、アイコン制御プログラム５３が記憶しているものとするが、アイコンサーバ１４が認証代行サーバ１２のＵＲＬを管理している場合、ここで認証代行サーバ１２のＵＲＬは、アイコンサーバ１４に送信されない。
【００６８】
アイコンサーバ１４は、ステップＳ６２において、パーソナルコンピュータ１１から送信されてきた認証情報としてのユーザＩＤとパスワード、および認証代行サーバ１２のＵＲＬを受信すると、そのＵＲＬを利用して認証代行サーバ１２にアクセスし、ユーザＩＤとパスワードを認証代行サーバ１２に送信する（図１２の番号２）。
【００６９】
認証代行サーバ１２は、ステップＳ８１において、アイコンサーバ１４から送信されてきた認証情報としてのユーザＩＤとパスワードを受信すると、それに基づいて、パーソナルコンピュータ１１（ユーザ）が認証代行サーバ１２の認証代行サービスに登録されている正規の機器（ユーザ）であるか否か等を判定する認証処理を実行する。
【００７０】
ステップＳ８２において、認証代行サーバ１２は、ステップＳ８１での認証処理の結果に基づいて、パーソナルコンピュータ１１が正規の機器（正規のユーザ）であるか否かを判定し、正規の機器（正規のユーザ）であると判定した場合、ステップＳ８３に進み、正規の機器（正規のユーザ）であることを表す認証認定情報を発行し、ステップＳ８１で受信したユーザＩＤ、およびそのユーザＩＤに関連付けて管理しているパスワードや認証ＩＤリスト等とともに記憶する（図１２の番号３）。
【００７１】
次に、ステップＳ８４において、認証代行サーバ１２は、ステップＳ８３で発行した認証認定情報、およびその認証認定情報と関連付けて記憶したユーザＩＤおよび認証ＩＤリストを、アイコンサーバ１４に送信する（図１２の番号４）。
【００７２】
アイコンサーバ１４は、ステップＳ６３において、認証代行サーバ１２から送信されてくる認証ＩＤリスト、認証認定情報、およびユーザＩＤが受信されたか否かを判定し、受信されたと判定したとき、ステップＳ６４に進み、パーソナルコンピュータ１１（ユーザ）を識別することができる（ユーザＩＤを検出することができる）チケットを発行する。
【００７３】
次に、ステップＳ６５において、アイコンサーバ１４は、ステップＳ６３で受信されたユーザＩＤおよび認証ＩＤリスト、並びにステップＳ６４で発行したチケットを関連付けて保存する（図１２の番号５）。
【００７４】
ステップＳ６６において、アイコンサーバ１４は、認証ＩＤリストに記述されている各認証ＩＤと関連付けて保存している専用アイコンＳＡのＩＤと画像データ、並びに付随データ（ＵＲＬ等）を検出する。アイコンサーバ１４は、図９のステップＳ１２で（図１０の番号４）、ＳＳＯ対象サービスとして登録されたサービスの認証ＩＤ、専用アイコンＳＡのＩＤと画像データ、並びに付随データ（ＵＲＬ等）を保存しているので、認証ＩＤリストに記述されている認証ＩＤから、それに関連付けられている専用アイコンＳＡのＩＤと画像データ、並びに付随データを検出することができる。
【００７５】
ステップＳ６７において、アイコンサーバ１４は、ステップＳ６３で受信した認証代行サーバ１２からの認証認定情報、およびステップＳ６４で発行したチケット、並びにそれぞれ対応付けられている、認証ＩＤリストに記述された認証ＩＤ、専用アイコンＳＡのＩＤと画像データ、および付随データをパーソナルコンピュータ１１に送信する（図１２の番号６）。
【００７６】
パーソナルコンピュータ１１のアイコン制御プログラム５３は、ステップＳ４５において、アイコンサーバ１４から送信される認証認定情報およびチケット、並びにそれぞれ対応付けられている、認証ＩＤ、専用アイコンＳＡのＩＤと画像データ、および付随データが受信されたか否かを判定し、受信されたと判定した場合、ステップＳ４６に進み、それらを保存する（図１２の番号７）。
【００７７】
次に、ステップＳ４７において、アイコン制御プログラム５３は、表示制御プログラム５５を制御して、ステップＳ４２で表示させたアイコンフォルダＦに、例えば、図１５に示すように、ステップＳ４５で受信された専用アイコンＳＡの画像データに基づく画像（専用アイコンＳＡ）を表示させる。
【００７８】
ステップＳ８２で、パーソナルコンピュータ１１（ユーザ）が認証代行サーバ１２の認証代行サービスに登録されている正規の機器（正規のユーザ）ではないと判定された場合、ステップＳ８３，Ｓ８４の処理はスキップされ、ステップＳ８５において、認証代行サーバ１２は、その旨を示す情報（以下、認証ＮＧ情報と称する）を、アイコンサーバ１４に送信する。
【００７９】
アイコンサーバ１４は、いまの場合、認証ＩＤリスト、認証認定情報、およびユーザＩＤが受信されないので、ステップＳ６３で、ＮＯの判定を行い、ステップＳ６８に進み、認証代行サーバ１２から送信されてきた認証ＮＧ情報を受信し、それをパーソナルコンピュータ１１に送信する。
【００８０】
パーソナルコンピュータ１１（アイコン制御プログラム５３）は、いまの場合、認証認定情報およびチケット、並びにそれぞれ対応付けられている、認証ＩＤ、専用アイコンＳＡのＩＤと画像データ、および付随データが受信されないので、ステップＳ４５で、ＮＯの判定を行い、ステップＳ４８に進み、アイコンサーバ１４から送信されてきた認証ＮＧ情報を受信し、その旨を表すメッセージを、表示制御プログラム５５を制御して、出力部２７のディスプレイに表示させる。
【００８１】
なお、ステップＳ６４で発行されたチケットおよびステップＳ８３で発行された認証認定情報には、セキュリティ上の観点から有効期限を設けることができる。
【００８２】
次に、ＳＳＯサービスを利用する場合の処理手順を、図１６のフローチャートを参照して説明する。なお、図１７には、図１６のフローチャートの処理で授受等される主な情報が模擬的に表されている。
【００８３】
ステップＳ１５１において、パーソナルコンピュータ１１の出力部２７に表示されているアイコンフォルダＦの専用アイコンＳＡが、例えば、クリックまたはダブルクリックされて選択されると、ステップＳ１５２において、アイコン制御プログラム５３は、認証認定情報およびチケット、並びにその専用アイコンＳＡのＩＤと関連付けて保存している認証ＩＤ（図１１のステップＳ４６）（図１２の番号７）を検出する。なお、専用アイコンＳＡの選択は、専用アイコンＳＡがクリックされて表示されるメニューから「選択」を選択して行ったり、方向キーを操作して行うことができる。
【００８４】
例えば、図１５に示すサービスＳＳＯ１１の専用アイコンＳＡ１が操作されると、認証認定情報およびチケットとともに、サービスＳＳＯ１１の認証ＩＤが検出される。
【００８５】
次に、ステップＳ１５３において、アイコン制御プログラム５３は、ステップＳ１５２で検出したチケットおよび認証ＩＤを、アイコンサーバ１４に送信する（図１７の番号１）。
【００８６】
アイコンサーバ１４は、ステップＳ１６１において、パーソナルコンピュータ１１から送信されてきたチケットおよび認証ＩＤを受信すると、そのチケットを確認し、ステップＳ１６２において、受信した認証ＩＤに関連付けて管理している付随データ（図９のステップＳ１２）からサービスサーバ１３のＵＲＬを検出し、それをパーソナルコンピュータ１１に送信する（図１７の番号２）。
【００８７】
パーソナルコンピュータ１１のアイコン制御プログラム５３は、ステップＳ１５４において、アイコンサーバ１４から送信されてきたＵＲＬを受信すると、そのＵＲＬとステップＳ１５２で検出した認証認定情報を、通信制御プログラム５２に渡す。通信制御プログラム５２は、そのＵＲＬと認証認定情報を認証代行サーバ１２に送信し（図１７の番号３）、ＵＲＬにより指定されるコンテンツの提供を要求する。
【００８８】
認証代行サーバ１２は、ステップＳ１７１において、パーソナルコンピュータ１１からコンテンツの要求を受けると、そのとき受信された認証認定情報に基づいて、パーソナルコンピュータ１１を認証する。
【００８９】
次に、ステップＳ１７２において、認証代行サーバ１２は、受信したＵＲＬを管理するサービスサーバ１３に、要求されたコンテンツの提供を要求する（図１７の番号４）。
【００９０】
サービスサーバ１３は、ステップＳ１８１において、要求されたコンテンツを認証代行サーバ１２に送信する（図１７の番号５）。
【００９１】
認証代行サーバ１２は、ステップＳ１７３において、サービスサーバ１３から送信されてきたコンテンツを受信すると、それを、パーソナルコンピュータ１１に送信する（図１７の番号６）。
【００９２】
パーソナルコンピュータ１１の通信制御プログラム５２により、認証代行サーバ１２からのコンテンツが受信されると、表示制御プログラム５５は、それを出力部２７のディスプレイに表示させる。
【００９３】
例えば、図１５に示したようにアイコンフォルダＦに表示されているサービスＳＳＯ１１の専用アイコンＳＡ１が選択されると、図１８に示すように、サービスＳＳＯ１１としてのコンテンツが表示され、またサービスＳＳＯ１２の専用アイコンＳＡ２がさらに選択されると、図１９に示すように、サービスＳＳＯ１２としてのコンテンツがさらに表示される。
【００９４】
なお、以上においては、アイコンサーバ１４を経由して、ＳＳＯサービスを利用する場合を説明したが、図２０のフローチャートに示すように、アイコンサーバ１４を経由しないようにすることもできる。なお、図２１には、図２０のフローチャートに従って授受等される主な情報が模擬的に表されている。
【００９５】
ステップＳ２５１において、パーソナルコンピュータ１１の出力部２７に表示されているアイコンフォルダＦの専用アイコンＳＡが、例えば、クリックまたはダブルクリックされて選択されると、ステップＳ２５２において、アイコン制御プログラム５３は、認証認定情報、および操作された専用アイコンＳＡのＩＤと関連付けて保存している（図１１のステップＳ４６）付随データのＵＲＬを検出する。
【００９６】
次に、ステップＳ２５３において、パーソナルコンピュータ１１のアイコン制御プログラム５３は、ステップＳ２５２で検出した認証認定情報とＵＲＬを、通信制御プログラム５２に渡す。通信制御プログラム５２は、そのＵＲＬと認証認定情報を認証代行サーバ１２に送信し（図２１の番号１）、ＵＲＬにより指定されるコンテンツの提供を要求する。
【００９７】
認証代行サーバ１２のステップＳ２７１乃至ステップＳ２７３、およびサービスサーバ１３のステップＳ２８１の処理は、図１６のステップＳ１７１乃至ステップＳ１７３またはステップＳ１８１における場合と同様であるので、その説明は省略する。
【００９８】
ステップＳ２５４において、パーソナルコンピュータ１１の通信制御プログラム５２により、認証代行サーバ１２からのコンテンツが受信されると、表示制御プログラム５５は、それを出力部２７のディスプレイに表示させる。
【００９９】
このように、サービスの内容を表す専用アイコンＳＡを表示させ、それを操作することで利用するＳＳＯサービスを選択することができるので、ユーザは、直感的に、ＳＳＯサービスを利用することができる。
【０１００】
次に、ＳＳＯ対象サービスを、パーソナルコンピュータ１１のＳＳＯサービスとして登録したり、ＳＳＯサービスを、パーソナルコンピュータ１１のＳＳＯサービスとしての登録から解除する場合の処理手順を、図２２のフローチャートを参照して説明する。図２３には、図２２のフローチャートの処理で授受等される主な情報が模擬的に表されている。
【０１０１】
なお、パーソナルコンピュータ１１においてはアイコン制御プログラム５３が、この処理を制御する。
【０１０２】
はじめに、ＳＳＯ対象サービスを、パーソナルコンピュータ１１のＳＳＯサービスとして登録する場合について説明する。
【０１０３】
ステップＳ３０１において、パーソナルコンピュータ１１のアイコン制御プログラム５３は、ＳＳＯサービスとして登録するサービス（ＳＳＯ対象サービス）の専用アイコンＳＡがコピー（例えば、入力部２６のマウスが操作されて専用アイコンＳＡがアイコンフォルダＦにドラックアンドドロップ）されたか否かを判定し、コピーされたと判定した場合、ステップＳ３０２に進む。
【０１０４】
例えば、図２４に示すように、ＳＳＯ対象サービスとして登録されたサービスＳＳＯ１１の、専用アイコンＳＡ１を含むホームページＳＨ１が表示されており、その専用アイコンＳＡ１が、アイコンフォルダＦにドラックアンドドロップされたとき、ステップＳ３０２に進む。
【０１０５】
なお、専用アイコンＳＡのアイコン制御プログラム５３へのコピーは、専用アイコンＳＡがクリックされて表示されるメニューから「コピー」および「ペースト」を適宜選択して行ったり、方向キーを操作して専用アイコンＳＡを選択することによっても行うことができる。
【０１０６】
ここで、専用アイコンＳＡを含むホームページＳＨを表示させるための処理を、図２５のフローチャートを参照して説明する。
【０１０７】
ステップＳ４０１において、パーソナルコンピュータ１１の通信制御プログラム５２は、ＳＳＯ対象サービスのＵＲＬを取得する。例えば、ユーザはこのとき、入力部２６を操作して、ＳＳＯ対象サービスのＵＲＬを入力するので、通信制御プログラム５２は、入力部２６からそのＵＲＬを取得する。
【０１０８】
次に、ステップＳ４０２において、通信制御プログラム５２は、取得したＵＲＬに対応するサービスサーバ１３にアクセスし、そのＵＲＬにより指定されるホームページＳＨのデータを要求する。
【０１０９】
サービスサーバ１３は、ステップＳ４１１において、要求されたＵＲＬにより指定されるホームページＳＨのデータ（専用アイコンＳＡの画像データを含む）を、パーソナルコンピュータ１１に送信する。
【０１１０】
パーソナルコンピュータ１１の通信制御プログラム５２により、サービスサーバ１３からのデータが受信されると、ステップＳ４０３において、表示制御プログラム５５は、受信されたデータに対応する画像（専用アイコンＳＡを含むホームページＳＨ）を、出力部２７のディスプレイに表示させる。
【０１１１】
このようにして、図２４に示すような、サービスＳＳＯ１１の、専用アイコンＳＡ１を含むホームページＳＨ１が、パーソナルコンピュータ１１の出力部２７に表示される。
【０１１２】
図２２に戻り、ステップＳ３０２において、パーソナルコンピュータ１１のアイコン制御プログラム５３は、ステップＳ３０１でコピーされた専用アイコンＳＡに関連付けられている認証ＩＤを、そのホームページＳＨから取得するとともに、その認証ＩＤ、認証代行サービスにログインした際に保存したチケット（図１１のステップＳ４６）、および認証代行サーバ１２のＵＲＬをアイコンサーバ１４に送信し（図２３の番号１）、ステップＳ３０１でコピーされたＳＳＯ対象サービス（図２４の例では、サービスＳＳＯ１１）の、パーソナルコンピュータ１１のＳＳＯサービスとしての登録を要求する。
【０１１３】
アイコンサーバ１４は、ステップＳ３２１において、ＳＳＯサービスの登録が要求されたか否かを判定し、要求されたと判定した場合、ステップＳ３２２に進み、このとき受信された、パーソナルコンピュータ１１からのチケットに基づいてユーザＩＤを検出する。
【０１１４】
次に、ステップＳ３２３において、アイコンサーバ１４は、ステップＳ３２１で受信した認証ＩＤ、およびステップＳ３２２で検出したユーザＩＤを認証代行サーバ１２に送信し（図２３の番号２）、認証ＩＤにより特定されるサービス（サービスＳＳＯ１１）の、パーソナルコンピュータ１１のＳＳＯサービスとしての登録を要求する。
【０１１５】
認証代行サーバ１２は、ステップＳ３４１において、ＳＳＯサービスの登録が要求されたか否かを判定し、要求されたと判定した場合、ステップＳ３４２に進み、このとき受信された、アイコンサーバ１４からのユーザＩＤに関連付けて管理している認証ＩＤリストを検出する。
【０１１６】
次に、ステップＳ３４３において、認証代行サーバ１２は、ステップＳ３４２で検出した認証ＩＤリストに、ステップＳ３４１で受信された認証ＩＤを追加する。
【０１１７】
その後、認証代行サーバ１２は、ステップＳ３４７に進み、ステップＳ３４３で、認証ＩＤが新たに追加された認証ＩＤリストを、アイコンサーバ１４に送信する（図２３の番号３）。
【０１１８】
アイコンサーバ１４は、ステップＳ３２３の処理の後、ステップＳ３２７に進み、認証代行サーバ１２から送信されてきた認証ＩＤリストを受信すると、その認証ＩＤリストと、ステップＳ３２２で検出したユーザＩＤと関連付けて保存している認証ＩＤリスト（図１１のステップＳ６５）の差分を検出し、その差分に応じた差分情報をパーソナルコンピュータ１１に送信する（図２３の番号４）。
【０１１９】
例えば、ステップＳ３２７で受信された認証代行サーバ１２からの認証ＩＤリストとアイコンサーバ１４が保存している認証ＩＤリストの差分が、サービスＳＳＯ１１（図２４）の認証ＩＤが新たに認証ＩＤリストに追加されたことを表している場合、アイコンサーバ１４は、サービスＳＳＯ１１の認証ＩＤと、それに関連付けて保存している専用アイコンＳＡ１のＩＤと画像データ、並びに付随データ（サービスＳＳＯ１１のＵＲＬ等）（図９のステップＳ１２）を、差分情報としてパーソナルコンピュータ１１に送信する。
【０１２０】
パーソナルコンピュータ１１のアイコン制御プログラム５３は、ステップＳ３０２の処理の後、ステップＳ３０５に進み、アイコンサーバ１４からの差分情報に応じた処理を行う。
【０１２１】
例えば、差分情報として、認証ＩＤ、専用アイコンＳＡ１のＩＤと画像データ、並びに付随データが送信されてきた場合、アイコン制御プログラム５３は、それらを図１１のステップＳ４６で保存した認証認定情報およびチケットに関連付けて保存するとともに、表示制御プログラム５５を制御して、図２６に示すように、専用アイコンＳＡ１の画像データに基づく画像（専用アイコンＳＡ１）をアイコンフォルダＦに表示させる。
【０１２２】
以上のようにして、ＳＳＯ対象サービスが、パーソナルコンピュータ１１のＳＳＯサービスとして登録される。
【０１２３】
次に、ＳＳＯサービスを、パーソナルコンピュータ１１のＳＳＯサービスとしての登録から解除する場合の処理について説明する。
【０１２４】
このときステップＳ３０１で、専用アイコンＳＡがアイコンフォルダＦにコピーされていないと判定された場合、処理は、ステップＳ３０３に進む。
【０１２５】
ステップＳ３０３において、パーソナルコンピュータ１１のアイコン制御プログラム５３は、アイコンフォルダＦに表示されている専用アイコンＳＡが、削除（例えば、入力部２６のマウスが操作されてアイコンフォルダＦに表示されている専用アイコンＳＡがその外にドラックアンドドロップ）されたか否かを判定し、削除されたと判定した場合、ステップＳ３０４に進む。
【０１２６】
例えば、図２７に示すように、サービスＳＳＯ１１およびサービスＳＳＯ１２の専用アイコンＳＡ１，ＳＡ２がアイコンフォルダＦに表示されている状態において（すなわち、サービスＳＳＯ１１，ＳＳＯ１２がパーソナルコンピュータ１１のＳＳＯサービスとして登録されている状態において）、サービスＳＳＯ１２の専用アイコンＳＡ２が、アイコンフォルダＦの外にドラックアンドドロップされると、ステップＳ３０４に進む。
【０１２７】
なお、専用アイコンＳＡのアイコン制御プログラム５３からの削除は、専用アイコンＳＡがクリックされて表示されるメニューから「削除」を選択して行ったり、または方向キーを操作して専用アイコンＳＡを選択、削除して行うことができる。
【０１２８】
ステップＳ３０４において、パーソナルコンピュータ１１のアイコン制御プログラム５３は、ステップＳ３０３で削除された専用アイコンＳＡのＩＤに関連付けて保存している認証ＩＤ（図１１のステップＳ４６）およびチケット、並びに認証代行サーバ１２のＵＲＬをアイコンサーバ１４に送信し（図２３の番号１）、ステップＳ３０３で削除されたＳＳＯサービス（図２７の例では、サービスＳＳＯ１２）の、パーソナルコンピュータ１１のＳＳＯサービスとしての登録からの解除を要求する。
【０１２９】
アイコンサーバ１４は、いまの場合、ステップＳ３２１で、ＳＳＯサービスの登録が要求されなかったと判定するので、ステップＳ３２４に進む。
【０１３０】
ステップＳ３２４において、アイコンサーバ１４は、パーソナルコンピュータ１１のＳＳＯサービスとしての登録からの解除が要求されたか否かを判定し、要求されたと判定した場合、ステップＳ３２５に進み、このとき受信されたパーソナルコンピュータ１１からのチケットに基づいてユーザＩＤを検出する。
【０１３１】
次に、ステップＳ３２６において、アイコンサーバ１４は、ステップＳ３２４で受信された認証ＩＤ、およびステップＳ３２５で検出したユーザＩＤを認証代行サーバ１２に送信し（図２３の番号２）、認証ＩＤにより特定されるサービス（サービスＳＳＯ１２）の、パーソナルコンピュータ１１のＳＳＯサービスとしての登録からの解除を要求する。
【０１３２】
認証代行サーバ１２は、いまの場合、ステップＳ３４１で、ＳＳＯサービスの登録が要求されなかったと判定するので、ステップＳ３４４に進む。
【０１３３】
ステップＳ３４４において、認証代行サーバ１２は、パーソナルコンピュータ１１のＳＳＯサービスとしての登録からの解除が要求されたか否かを判定し、要求されたと判定した場合、ステップＳ３４５に進み、このとき受信された、アイコンサーバ１４からのユーザＩＤに関連付けて管理している認証ＩＤリストを検出する。
【０１３４】
次に、ステップＳ３４６において、認証代行サーバ１２は、ステップＳ３４５で検出した認証ＩＤリストから、ステップＳ３４４で受信された認証ＩＤを削除し、ステップＳ３４７において、アイコンサーバ１４に送信する（図２３の番号３）（パーソナルコンピュータ１１のＳＳＯサービスとしての登録からの解除が要求されたＳＳＯサービスの認証ＩＤが削除された認証ＩＤリストがアイコンサーバ１４に送信される）。
【０１３５】
アイコンサーバ１４は、ステップＳ３２７で、認証代行サーバ１２から送信されてきた認証ＩＤリストを受信すると、その認証ＩＤリストと、ステップＳ３２５で検出したユーザＩＤと関連付けて保存している認証ＩＤリストの差分を検出し、その差分に応じた差分情報をパーソナルコンピュータ１１に送信する（図２３の番号４）。
【０１３６】
例えば、ステップＳ３２７で受信された認証代行サーバ１２からの認証ＩＤリストとアイコンサーバ１４が保存している認証ＩＤリストの差分が、サービスＳＳＯ１２（図２７）の認証ＩＤが削除されていることを表している場合、アイコンサーバ１４は、その旨を、差分情報としてパーソナルコンピュータ１１に送信する。
【０１３７】
パーソナルコンピュータ１１のアイコン制御プログラム５３は、ステップＳ３０５で、例えば、差分情報として、サービスＳＳＯ１２の認証ＩＤが認証ＩＤリストから削除された旨を受信すると、保存している、サービスＳＳＯ１２の認証ＩＤ、専用アイコンＳＡ２のＩＤと画像データ、並びに付随データを消去するとともに、表示制御プログラム５５を制御して、図２６に示すように、サービスＳＳＯ１２の専用アイコンＳＡ２を、アイコンフォルダＦから消去させる。
【０１３８】
以上のようにして、パーソナルコンピュータ１１のＳＳＯサービスとしての登録からの解除が行われる。
【０１３９】
ステップＳ３０３で、専用アイコンＳＡが削除されていないと判定されたとき、またはステップＳ３０５で、差分情報に応じた処理が行われたとき、パーソナルコンピュータ１１は、処理を終了させる。
【０１４０】
ステップＳ３２４で、登録からの解除が要求されていないと判定されたとき、またはステップＳ３２７で、差分情報がパーソナルコンピュータ１１に送信されたとき、アイコンサーバ１４は、処理を終了させる。
【０１４１】
ステップＳ３４４で、登録からの解除が要求されていないと判定されたとき、またはステップＳ３４７で、認証ＩＤリストがアイコンサーバ１４に送信されたとき、認証代行サーバ１４は、処理を終了させる。
【０１４２】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１４３】
この記録媒体は、図７に示すように、コンピュータとは別に、ユーザにプログラムを提供するために配布される、プログラムが記録されている磁気ディスク４１（フロッピディスクを含む）、光ディスク４２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク４３（ＭＤ（Ｍｉｎｉ−Ｄｉｓｋ）を含む）、若しくはメモリカード４４などによりなるパッケージメディアにより構成されるだけでなく、コンピュータに予め組み込まれた状態でユーザに提供される、プログラムが記録されているＲＯＭ２２や記憶部２８に含まれるハードディスクなどで構成される。
【０１４４】
なお、本明細書において、媒体により提供されるプログラムを記述するステップは、記載された順序に沿って時系列的に行われる処理はもちろん、必ずしも時系列的に処理されなくとも、並列的あるいは個別に実行される処理をも含むものである。
【０１４５】
また、本明細書において、システムとは、複数の装置により構成される装置全体を表すものである。
【０１４６】
【発明の効果】
本発明によれば、直感的な操作で、ネットワークを介してサービスの提供を受けることができる。
【図面の簡単な説明】
【図１】従来の認証代行サービスを説明する図である。
【図２】ＳＳＯサービスを利用するための従来の操作を説明する図である。
【図３】ＳＳＯサービスを利用するための従来の操作を説明する他の図である。
【図４】ＳＳＯサービスを利用するための従来の操作を説明する他の図である。
【図５】ＳＳＯサービスを利用するための従来の操作を説明する他の図である。
【図６】本発明を適用したサービス提供システムの構成例を示す図である。
【図７】図６のパーソナルコンピュータの構成例を示すブロック図である。
【図８】図６のパーソナルコンピュータの機能的構成例を示すブロック図である。
【図９】ＳＳＯ対象サービス登録処理を説明するフローチャートである。
【図１０】図９のフローチャートの処理で授受等される主な情報を模擬的に表す図である。
【図１１】認証代行サービスにログインする処理を説明するフローチャートである。
【図１２】図１１のフローチャートの処理で授受等される主な情報を模擬的に表す図である。
【図１３】アイコンフォルダの表示例を示す図である。
【図１４】入力画面の表示例を示す図である。
【図１５】専用アイコンの表示例を示す図である。
【図１６】ＳＳＯサービスを利用する処理を説明するフローチャートである。
【図１７】図１６のフローチャートの処理で授受等される主な情報を模擬的に表す図である。
【図１８】ＳＳＯサービスのコンテンツの表示例を示す図である。
【図１９】他のＳＳＯサービスのコンテンツの表示例を示す図である。
【図２０】ＳＳＯサービスを利用する他の処理を説明するフローチャートである。
【図２１】図２０のフローチャートの処理で授受等される主な情報を模擬的に表す図である。
【図２２】ＳＳＯサービスの登録または解除の処理を説明するフローチャートである。
【図２３】図２２のフローチャートの処理で授受等される主な情報を模擬的に表す図である。
【図２４】ＳＳＯサービスを登録する処理を説明する図である。
【図２５】専用アイコンを表示させるための処理を説明するフローチャートである。
【図２６】専用アイコンの他の表示例を示す図である。
【図２７】専用アイコンの他の表示例を示す図である。
【符号の説明】
１１　パーソナルコンピュータ，　１２　認証代行サーバ，　１３−１　サービスサーバ，　１３−２　サービスサーバ，　１４　アイコンサーバ，　５１　オペレーティングシステム，　５２　通信制御プログラム，　５３　アイコン制御プログラム，　５４　操作制御プログラム，　５５　表示制御プログラム
【図１】
2004021599.tif 000003
【図２】
2004021599.tif 000004
【図３】
2004021599.tif 000005
【図４】
2004021599.tif 000006
【図５】
2004021599.tif 000007
【図６】
2004021599.tif 000008
【図７】
2004021599.tif 000009
【図８】
2004021599.tif 000010
【図９】
2004021599.tif 000011
【図１０】
2004021599.tif 000012
【図１１】
2004021599.tif 000013
【図１２】
2004021599.tif 000014
【図１３】
2004021599.tif 000015
【図１４】
2004021599.tif 000016
【図１５】
2004021599.tif 000017
【図１６】
2004021599.tif 000018
【図１７】
2004021599.tif 000019
【図１８】
2004021599.tif 000020
【図１９】
2004021599.tif 000021
【図２０】
2004021599.tif 000022
【図２１】
2004021599.tif 000023
【図２２】
2004021599.tif 000024
【図２３】
2004021599.tif 000025
【図２４】
2004021599.tif 000026
【図２５】
2004021599.tif 000027
【図２６】
2004021599.tif 000028
【図２７】
2004021599.tif 000029